(57)【要約】【課題】背上げ機構を有する様々なベッドに取り付けを簡単にできるようにする一方、背床の背上げに連動して柵部を回動可能とした側柵を提供すること。【解決手段】背上げ可能なベッドのサイドフレームに取り付けて使用する側柵において、サイドフレームに設けられている付属品取り付け用の取付孔に脚部を嵌入して基台部を取り付けるようにする。その一方、基台部の前部に、少なくとも使用者の腰から頭にかけてベッドの側部を略閉塞可能な回動柵部が上下方向において回動可能になるように、該回動柵部の前部を取り付ける。また、回動柵部の後部に、背床の側部に沿った方向に移動可能な状態で、背床の側部に回動柵部を掛け止め可能な係止部を設けて、背上げに連動して回動柵部が上下方向に回動するようにする。さらに、ベッドのサイドフレームに取り付けた状態で、サイドフレームと略平行となる基台部の主パイプ周りに、回動柵部を回動可能にする。【選択図】図１
2008029650.tif 000002
【特許請求の範囲】
【請求項１】
背上げ可能なベッドのサイドフレームに取り付けて使用する側柵において、前記サイドフレームに設けられている付属品取り付け用の取付孔に脚部を嵌入して取り付ける基台部の前部に、少なくとも使用者の腰から頭にかけてベッドの側部を略閉塞可能な回動柵部が上下方向において回動可能になるように、該回動柵部の前部を取り付ける一方、該回動柵部の後部に、背床の側部に沿った方向に移動可能な状態で、該背床の側部に回動柵部を掛け止め可能な係止部を設け、背上げに連動して回動柵部が上下方向に回動するよう構成したことを特徴とする側柵。
【請求項２】
ベッドのサイドフレームに取り付けた状態で、該サイドフレームと略平行となる前記基台部の主パイプ周りに、前記回動柵部を回動可能にしたことを特徴とする請求項１に記載の側柵。
【請求項３】
前記基台部を、少なくとも使用者の腰から足にかけてベッドの側部を略閉塞可能な固定柵部とする一方、該固定柵部の後部に、前記回動柵部を上下方向において回動可能となるように、該回動柵部の前部を取り付けたことを特徴とする請求項１に記載の側柵。
【請求項４】
前記固定柵部の後部に円弧部を備えた案内部材を設ける一方、前記回動柵部の前部に設けた掛け止め具を前記案内部材の円弧部に引っ掛けるようにすることで、固定柵部からの回動柵部の脱落を防止する構成とし、さらに、前記固定柵部をベッドの取付孔に取り付けるための脚部を、ベッドのサイドフレームに略平行な水平方向軸周りで固定柵部が回動可能になるように構成する一方、ベッドを背上げしていない状態において、該水平方向軸周りで回動柵部が回動可能になるように、前記係止部を構成したことを特徴とする請求項３に記載の側柵。
【発明の詳細な説明】
【技術分野】
【０００１】
本発明は、ベッドのサイドフレームに取り付け可能、かつ、該ベッドの背上げに連動可能な柵部を備えた側柵に関するものである。
【背景技術】
【０００２】
ベッドのサイドフレームに取り付けて使用する側柵において、該ベッドの背上げに連動して回動する柵部を備えた従来の側柵には、次のようなものがある。
第一の形態の側柵は、ベッドの背床に対応する位置に取り付けられる第一側柵が、ベッドの腰床と脚床に対応する位置に取り付けられる第二側柵に、回動可能に軸着されたものである。
そして、この側柵は、前記第一側柵を背床に取り付ける一方、第二側柵をベッドのサイドフレームに取り付けることで、ベッドに取り付けられる。また、このとき、背上げ時の背床の回動軸線上に、前記第一側柵と第二側柵との軸着部が位置するように、該側柵を取り付けている（例えば、特許文献１参照。）。
このようにして、この側柵は、ベッドを背上げしたときに、それに連動して、第一側柵が軸着部を中心に回動するようにされている。
【０００３】
また、第二の形態の側柵は、屈曲構成した長尺杆の一端部をベッドの背床に取り付ける一方、その他端部をベッドのサイドフレームに取り付けた摺動枠に摺動かつ回動可能に取り付けてなるものである。
そして、この側柵は、ベッドを背上げしたときに、それに連動して、長尺杆の摺動枠への取り付け側端部が該摺動枠に沿って摺動すると共に、長尺杆が該端部を中心に回動するようにされている（例えば、特許文献２参照。）。
【特許文献１】実開平０４−０５１９３４号公報
【特許文献２】実開平０４−０５１９３３号公報
【発明の開示】
【発明が解決しようとする課題】
【０００４】
しかしながら、上記した二つの側柵には、次のような問題点がある。
まず、第一の形態の側柵は、第一側柵と第二側柵との軸着部をベッドの背床の回動軸線上に位置させる必要があることから、ベッドへの取り付けが面倒である。さらに、使用者の腹部への圧迫感を生じにくくするために、背上げ時に、背床の回動中心の位置が変化する背上げ機構を有するベッドには使用できない。
また、第二の形態の側柵では、ベッドに取り付けるにあたり、摺動枠と長尺杆をそれぞれねじ止めすることが示されており、それぞれの部材をねじ止めするために、ベッドのサイドフレームや背床に穴あけなどの加工を施す必要性が想像される。このことから、該側柵をベッドに取り付けることは面倒である。
そこで、本発明が解決しようとする課題は、背上げ機構を有する様々なベッドに取り付けを簡単にできるようにする一方、背床の背上げに連動して柵部を回動可能とした側柵を提供することを課題とする。
【課題を解決するための手段】
【０００５】
請求項１の発明は、背上げ可能なベッドのサイドフレームに取り付けて使用する側柵において、前記サイドフレームに設けられている付属品取り付け用の取付孔に脚部を嵌入して取り付ける基台部の前部に、少なくとも使用者の腰から頭にかけてベッドの側部を略閉塞可能な回動柵部が上下方向において回動可能になるように、該回動柵部の前部を取り付ける一方、該回動柵部の後部に、背床の側部に沿った方向に移動可能な状態で、該背床の側部に回動柵部を掛け止め可能な係止部を設け、背上げに連動して回動柵部が上下方向に回動するよう構成したことを特徴とする。
請求項２の発明は、ベッドのサイドフレームに取り付けた状態で、該サイドフレームと略平行となる前記基台部の主パイプ周りに、前記回動柵部を回動可能にしたことを特徴とする。
請求項３の発明は、前記基台部を、少なくとも使用者の腰から足にかけてベッドの側部を略閉塞可能な固定柵部とする一方、該固定柵部の後部に、前記回動柵部を上下方向において回動可能となるように、該回動柵部の前部を取り付けたことを特徴とする。
請求項４の発明は、前記固定柵部の後部に円弧部を備えた案内部材を設ける一方、前記回動柵部の前部に設けた掛け止め具を前記案内部材の円弧部に引っ掛けるようにすることで、固定柵部からの回動柵部の脱落を防止する構成とし、さらに、前記固定柵部をベッドの取付孔に取り付けるための脚部を、ベッドのサイドフレームに略平行な水平方向軸周りで固定柵部が回動可能になるように構成する一方、ベッドを背上げしていない状態において、該水平方向軸周りで回動柵部が回動可能になるように、前記係止部を構成したことを特徴とする。
【発明の効果】
【０００６】
請求項１の発明によれば、係止部が背床に沿った方向に移動可能な状態で、回動柵部を該係止部で背床に掛け止めするようにしている。これによって、回動柵部を背床に簡単に取り付けることを可能にする一方、回動柵部の回動中心が背上げ時の背床の回動軸線上になくても、回動柵部を背上げに連動して上下方向において回動できるようにしている。
このことから、まず、この側柵をベッドに取り付けるときに、回動柵部の回動中心を、背上げ時の背床の回動軸線上に位置させる必要をなくすことができる。
さらに、上記したことと、基台部のベッドへの取り付けに取付孔を用いるようにしたことから、この側柵をベッドに取り付けるにあたって工具は不要である。したがって、この側柵のベッドへの取り付けは極めて簡単にできる。さらに、取付孔を備えたベッドであれば、この側柵を用いることができる。このことから、この側柵は、汎用性が高く、多くの方に利用してもらいやすい側柵とすることができた。
また、ベッドを背上げしても、使用者の腰から頭にかけてベッドの側部を回動柵部で閉塞することができ、この状態でも、該回動柵部を転落防止柵として機能させることができる。
【０００７】
また、請求項２の発明によれば、基台部の主パイプ周りに回動柵部を回動することで、回動柵部が閉塞していたベッドの側部を開放できる。したがって、使用者を介助するために、側柵を外す必要がないことから、外した側柵の置き場所に困ることはない。また、介助を容易に行えるようにできる。
【０００８】
請求項３の発明によれば、ベッドの床部が水平な状態でも、あるいは、ベッドを背上げした状態でも、固定柵部と回動柵部によってベッドの側部を略閉塞することができる。したがって、ベッドの床部の状態にかかわらず、固定柵部と回動柵部を転落防止柵として機能させることができ、極めて安全である。
【０００９】
そして、請求項４の発明によれば、ベッドのサイドフレームに略々平行な水平方向軸周りに固定柵部が回動可能となるように脚部を構成する一方、ベッドを背上げしていない状態で、回動柵部が該水平方向軸周りで回動可能となるように係止部を構成している。これによって、該水平方向軸周りに、回動柵部を固定柵部と共に、ベッドの側部を略閉塞した立設状態からベッドの外側方向へ回動することで、ベッドの側部を開放可能にしている。したがって、使用者を介助するために、側柵を外す必要がないことから、外した側柵の置き場所に困ることがない。また、介助を容易に行えるようにできる。
また、背上げに連動して回動柵部が回動するときには、掛け止め具が案内部材の円弧部に沿って回動するようにしており、回動柵部は固定柵部からの脱落が防止された状態で上下方向において回動するようにしている。そして、係止部を背床から外し、その後、掛け止め具を案内部材の円弧部に引っ掛けた状態を解除することで、回動柵部を固定柵部から外せるようにしている。これによって、ベッドを背上げした状態でも、回動柵部を固定柵部から外し、その後、水平方向軸周りに固定柵部を回動することで、ベッドの側部を開放できるようにしている。したがって、ベッドを背上げした状態でも、側柵すべてを外すことなく、使用者の介助を容易に行えるようにできる。また、回動柵部を固定柵部から外すにあたって、細かな部材の着脱などを行う必要もないことから、その作業も楽に行うことができる。
【発明を実施するための最良の形態】
【００１０】
背上げ可能なベッドのサイドフレームに取り付けて使用する側柵において、前記サイドフレームに設けられている付属品取り付け用の取付孔に脚部を嵌入して基台部を取り付けるようにする。その一方、該基台部の前部に、少なくとも使用者の腰から頭にかけてベッドの側部を略閉塞可能な回動柵部が上下方向において回動可能になるように、該回動柵部の前部を取り付ける。また、該回動柵部の後部に、背床の側部に沿った方向に移動可能な状態で、該背床の側部に回動柵部を掛け止め可能な係止部を設けて、背上げに連動して回動柵部が上下方向に回動するようにする。さらに、ベッドのサイドフレームに取り付けた状態で、該サイドフレームと略平行となる前記基台部の主パイプ周りに、前記回動柵部を回動可能にする。
【実施例１】
【００１１】
本発明に係る側柵の一実施例を図面に基づいて説明する。
この側柵１は、ベッドＢのサイドフレームＦなどに設けられている付属品取り付け用の取付孔ｈ，ｈに取り付ける基台部２と、該基台部２に回動可能に取り付けた回動柵部３と、該回動柵部３をベッドＢの背床ｂの側部に取り付けるための係止部４から主に構成されている（図１参照。）。
【００１２】
まず、基台部２は、主パイプ２ａの前部と後部にベッドＢの取付孔ｈ，ｈに嵌入する複数の脚部２ｂ，２ｂが固着される一方、該主パイプ２ａの前端部に軸受部５が設けられた構成とされている。前記軸受部５は、平面視において略コ字状に構成されたブラケット５ａの後部に取付軸５ｂが固着されたものであり、該取付軸５ｂを主パイプ２ａの前端から挿し込み、その後に、主パイプ２ａ下面側から螺合したノブねじ６を前記取付軸５ｂに設けた溝部５ｃに突き当てることで、固定されている（図２参照。）。すなわち、軸受部５は、ノブねじ６を緩めて、その先端部の取付軸５ｂへの突き当て状態を解除すると、主パイプ２ａ周りに回動自在となるように設けられている（図４参照。）。
このように構成された基台部２は、脚部２ｂ，２ｂをベッドＢの取付孔ｈ，ｈに嵌入することで、ベッドＢに取り付ける（図７参照。）。このとき、主パイプ２ａはベッドＢの長手方向に略平行となる。
なお、基台部２をベッドＢへ取り付けた状態をより強固にするために、図示してはいないが、脚部２ｂ，２ｂの下端部にねじ部を設け、該ねじ部にボルトなどを螺合して固定するようにしても良い。
【００１３】
次に、回動柵部３は、ベッドＢを使用する方Ｕの転落などを防止するものであり、前後方向において少なくとも使用者Ｕの腰から頭までの間のベッドＢの側部を略閉塞できる大きさを有したものである。この回動柵部３は、略矩形状に曲折された枠体３ａ内部に複数の遮蔽具３ｂ，３ｂ，３ｂが固着される一方、該枠体３ａの前側下部に連結板３ｃを介してボス３ｄが固着された構成とされている（図１と図２参照。）。
このように構成された回動柵部３は、基台部２の軸受部５に設けたブラケット５ａに、ボス３ｄを軸材７で軸着して、上下方向において回動可能となるよう取り付けられている（図２と図３参照。）。
【００１４】
続いて、係止部４について説明する。
この係止部４は、背面視において下部にコ字状部８ａを形成した係止具８の上部に固着したボス８ｂを、回動柵部３の枠体３ａ後側下部に設けた軸受板９，９に軸材１０で軸着したものであり、左右方向において係止具８が回動可能に構成されたものである。なお、該係止具８には、コ字状部８ａの上辺と下辺が略水平な状態から、ベッドＢに接近する方向へは回動しないように、回り止め部材８ｃが固着されている（図１と図５参照。）。
そして、この係止部４は、係止具８のコ字状部８ａを背床ｂの側部に掛けることで、回動柵部３の後部側を背床ｂに掛け止めするようにしている（図６の（ａ）参照。）。
【００１５】
このように構成された側柵１は、次のようにして用いられる。
まず、ベッドＢの背床ｂ側方に回動柵部３が位置するように、ベッドＢの取付孔ｈ，ｈに基台部２の脚部２ｂ，２ｂを嵌入する。このとき、基台部２の軸受部５がベッドＢの腰床ｗ側に位置するようにする（図７の（ａ）参照。）。
次に、係止部４の係止具８に形成したコ字状部８ａを背床ｂの側部に掛ける（図６の（ａ）と図７の（ａ）参照。）。
このようにして、側柵１をベッドＢに取り付ける。
上述のとおり、この側柵１をベッドＢに取り付けるにあたって、工具は不要であり、簡単に取り付けることができる。また、この側柵１をベッドＢに取り付けるための加工をベッドＢに施す必要もない。
なお、このように側柵１をベッドＢに取り付けたときに、回動柵部３の枠体３ａ下部がベッドＢのマットｍの上面より下方に位置するように、この側柵１は構成されている。また、このとき、回動柵部３の上部と下部が、ベッドＢのサイドフレームＦに略平行となるように、この側柵１は構成されている。その他、この側柵１は、軸受部５の取付軸５ｂと係止部４のボス８ｂの軸心線が一致しないようにしており、ノブねじ６が緩んでいても、回動柵部３が基台部２の主パイプ２ａ周りに回動しないようにしている（図７の（ａ）参照。）。
【００１６】
続いて、ベッドＢを背上げすると、回動柵部３は背床ｂに掛け止めしていることから、その後部側が持ち上げられるようになる。これに伴って、係止部４は係止具８に形成したコ字状部８ａを背床ｂに単に掛け合わせているだけであることから、係止部４の係止具８が背床ｂの側部に沿って摺動されるようになる。すなわち、回動柵部３は、背上げに連動して、軸材７を中心に上方へ回動する（図７の（ｂ）参照。）。
したがって、ベッドＢを背上げしても、使用者Ｕの腰から頭にかけてベッドＢの側部を回動柵部３で閉塞することができ、この状態でも、該回動柵部３を転落防止柵として機能させることができる。
【００１７】
また、この側柵１は、基台部２のノブねじ６を緩めると共に、係止部４の係止具８を背床ｂから外すことで、回動柵部３が基台部２の主パイプ２ａ周りすなわちサイドフレームＦと略平行な水平方向軸周りに回動可能となる。このことから、使用者Ｕを介助するときに、この側柵１をベッドＢから外すことなく、邪魔となる回動柵部３を前記主パイプ２ａ周りに回動することで、回動柵部３が閉塞していたベッドＢの側部を開放できる。
したがって、使用者Ｕを介助するために、側柵１を外す必要がないことから、外した側柵１の置き場所に困ることはない。また、介助を容易に行えるようにできる。
【００１８】
そして、このように用いられるこの側柵１の最大の特徴は、係止部４の係止具８が背床ｂに沿って移動可能な状態で、回動柵部３を該係止部４で背床ｂに掛け止めるようにしたことにある。これによって、回動柵部３を背床ｂに簡単に取り付けることを可能としただけでなく、回動柵部３の回動中心が背上げ時の背床ｂの回動軸線上になくても、回動柵部３を背上げに連動して回動できるようにしている。このことから、この側柵１をベッドＢに取り付けるときに、回動柵部３の回動中心を、背上げ時の背床ｂの回動軸線上に位置させる必要がなく、この側柵１のベッドＢへの取り付けを極めて簡単にすることができた。
また、上述したことと、基台部２をベッドＢへ取り付けるにあたって、ベッドＢの取付孔ｈ，ｈを用いるようにしたことから、取付孔ｈ，ｈを備えたベッドＢであれば、この側柵１を用いることができる。このことから、この側柵１は、汎用性が高く、多くの方に利用してもらいやすい側柵とすることができた。
【００１９】
なお、本実施例では、係止具８が背床ｂの側部に沿って摺動する係止部４の構成を例示している。しかしながら、図６の（ｂ）に示すように、係止具８に背床ｂの側部に沿った方向に転動できるように、ローラー１１，１１を設けた係止部１２の構成とし、この係止部１２を背床ｂに掛けたときに、ローラー１１，１１が背床ｂに当接するようにしても良い。このように構成した係止部１２で回動柵部３を背床ｂに掛け止めしても、ベッドＢの背上げに伴って、背床ｂの側部に沿ってローラー１１，１１が転動することで、係止部１２は背床ｂの側部に沿って動く。このことから、上述した係止部４と同様の作用と効果を得ることができる。すなわち、係止部は、背床ｂの側部に沿って移動可能な状態で、回動柵部３を背床ｂに掛け止めできるものであれば良く、本実施例に限定するものではない。なお、係止部１２のような構成とするときには、ローラー１１，１１の直径を極力小さくして、マットｍが背床ｂの側部において極力盛り上がらないようにしておくことが望ましい。
【実施例２】
【００２０】
次に、本発明に係る側柵の別の実施例を図面に基づいて説明する。
この側柵１３は、ベッドＢのサイドフレームＦなどに設けられている付属品取り付け用の取付孔ｈ，ｈに取り付ける固定柵部１４と、該固定柵部１４に回動可能に取り付けた回動柵部１５と、該回動柵部１５をベッドＢの背床ｂの側部に取り付けるための係止部１６から主に構成されている。すなわち、この側柵１３は、実施例１における基台部２を固定柵部１４としたものであり、該固定柵部１４と回動柵部１５によってベッドＢの側部を略閉塞できるようにしたものである（図１３参照）。
【００２１】
まず、固定柵部１４は、ベッドＢを使用する方Ｕの転落などを防止するものであり、前後方向において少なくとも使用者Ｕの腰から足までの間のベッドＢの側部を略閉塞できる大きさを有したものである。この固定柵部１４は、略矩形状に曲折された枠体１４ａの中間部から前部の間において複数の遮蔽具１４ｂ，１４ｂ，１４ｂが固着される一方、その後部の内側面に遮蔽部材１４ｃが止着された構成とされている。また、枠体１４ａの後側下部にはボス１７が固着されると共に、該ボス１７を中心とする円弧部１８ａと、その円弧部１８ａを切り欠いて形成した解除部１８ｂを備えた案内部材１８が枠体の後部外側面に止着されている。さらに、この固定柵部１４には、ベッドＢの取付孔ｈ，ｈに取り付けるための複数の脚部１９，１９が枠体１４ａ下部の前部と後部に設けられている（図８参照。）。この脚部１９，１９は、下端部にボス１９ａ，１９ａが固着された正面視において略Ｌ字状の連結板１９ｂ，１９ｂの上端部が前記枠体１４ａに固着される一方、ベッドＢの取付孔ｈ，ｈに嵌入する嵌合軸１９ｃ，１９ｃが固着されたブラケット１９ｄ，１９ｄを前記ボス１９ａ，１９ａに軸材１９ｅ，１９ｅで軸着した構成とされている。また、脚部１９，１９は、前記連結板１９ｂ，１９ｂとブラケット１９ｄ，１９ｄをノブねじ１９ｆ，１９ｆで螺合することで、嵌合軸１９ｃ，１９ｃ上方に枠体１４ａが位置する状態（以下、立設状態とする。）で固定される構成とされている。すなわち、脚部１９，１９は、ノブねじ１９ｆ，１９ｆを緩めて、連結板１９ｂ，１９ｂとブラケット１９ｄ，１９ｄとの螺合を解除すると、軸材１９ｅ，１９ｅ周りに枠体１４ａが立設状態から下方回動状態へと回動可能となるように構成されている（図１１参照。）。
そして、この固定柵部１４は、脚部１９，１９の嵌合軸１９ｃ，１９ｃをベッドＢの取付孔ｈ，ｈに嵌入することで、ベッドＢに取り付ける（図１３の（ａ）参照。）。
なお、固定柵部１４をベッドＢへ取り付けた状態をより強固にするために、図示してはいないが、嵌合軸１９ｃ，１９ｃの下端部にねじ部を設け、該ねじ部にボルトなどを螺合して固定するようにしても良い。
【００２２】
続いて、回動柵部１５は、ベッドＢを使用する方Ｕの転落などを防止するものであり、前後方向において少なくとも使用者Ｕの腰から頭までの間のベッドＢの側部を略閉塞できる大きさを有したものである。この回動柵部１５は、略矩形状に曲折された枠体１５ａの中間部から後部の間において複数の遮蔽具１５ｂ，１５ｂが固着される一方、その前部に遮蔽部材１５ｃが止着された構成とされている。また、枠体１５ａの前側下部にはフランジ部２０ａを備えた軸材２０が固着されると共に、その上方の前記遮蔽部材１５ｃの内側面に掛け止め具２１がねじ２２，２２で止着されている（図８と図９参照。）。
このように構成された回動柵部１５は、次のようにして固定柵部１４に取り付ける。まず、側面視において掛け止め具２１を固定柵部１４の案内部材１８の解除部１８ｂに位置合わせした状態で、固定柵部１４のボス１７に前記軸材２０を挿通する（図１２の（ｂ）参照。）。そして、回動柵部１５を回動して、掛け止め具２１を前記案内部材１８の円弧部１８ａに引っ掛けるようにする（図８と図９参照。）。
すなわち、回動柵部１５は、軸材２０を中心に上下方向において回動可能、かつ、掛け止め具２１と前記案内部材１８によって脱落が防止された状態で、固定柵部１４に取り付けられている（図１２の（ａ）参照。）。
【００２３】
次に、係止部１６について説明する。
この係止部１６は、回動柵部１５の後下部に設けられる接続部２３と、ベッドＢの背床ｂに取り付けられる取付部２４から構成されている（図８と図９参照。）。
まず、接続部２３は、正面視において略凹字状の接続具２５が取付板２６に止着されたものであり、該取付板２６の上端部が枠体１５ａに固着された構成とされている。
続いて、取付部２４は、正面視において略コ字状に形成した取付具２７に平面視において略コ字状に曲折したレール２８の両端が固着された構成とされている。そして、この取付部２４は、ベルト２９を背床ｂに巻き掛けて、背床ｂの側部に取り付ける。なお、該取付部２４は、ベッドＢを背上げしていない状態で背床ｂに取り付けたときに、レール２８の中間部がベッドＢのサイドフレームＦと略平行になるよう構成されている（図１３の（ａ）参照。）。
そして、この係止部１６は、取付部２４のレール２８に接続部２３の接続具２５に形成した溝部２５ａを上方から掛け合わすと共に該接続具２５に設けたフック材２５ｂを回動して、前記溝部２５ａとフック材２５ｂでレール２８を挟んだ状態で、接続部２３を取付部２４に連結する構成とされている（図９参照。）。このように連結した状態では、取付部２４のレール２８に沿って接続部２３の接続具２５が摺動可能、かつ、レール２８の中間部周りに接続具２５が回動可能となっている。
【００２４】
なお、本実施例では、前記取付部２４の取付具２７を背床ｂに取り付けるにあたり、ベルト２９を用いることを例示している。しかしながら、例えば図１０の（ａ）に示すように、取付具３０の下辺３０ｂにノブねじ３１を操作することで上辺３０ａとの間隔が変化する接触具３２を設けた取付部３３の構成として、取付具３０の上辺３０ａと接触具３２で背床ｂを挟むことで、該取付部３３を背床ｂに取り付けるようにしても良い。また、図１０の（ｂ）に示すように、取付具３４の上辺３４ａと下辺３４ｂの端部側が基端部側より接近した状態で正面視において略コ字状に取付具３４を構成して、該上辺３４ａと下辺３４ｂをバネのように作用させることで、背床ｂに取り付ける取付部３５の構成としても良い。すなわち、取付部は、簡単かつベッドＢに加工を施すことなく取付具を背床ｂに取り付けできるようにしたものであれば良く、本実施例に限定するものではない。
【００２５】
そして、上述のようにして構成された側柵１３は、次のようにして用いられる。
まず、ベッドＢの背床ｂの側部に、係止部１６の取付部２４を上述したようにして取り付ける。
次に、固定柵部１４が使用者Ｕの腰から足の側方に位置するように、ベッドＢの取付孔ｈ，ｈに脚部１９，１９の嵌合軸１９ｃ，１９ｃを嵌入する。
そして、回動柵部１５を回動して、係止部１６の接続部２３の接続具２５と前記取付部２４のレール２８を連結して、回動柵部１５を背床ｂに掛け止める。
このようにして、側柵１３をベッドＢに取り付ける（図９と図１３の（ａ）参照。）。
上述のとおり、この側柵１３をベッドＢに取り付けるにあたって、工具は不要であり、簡単に取り付けることができる。また、この側柵１３をベッドＢに取り付けるための加工をベッドＢに施す必要もない。さらに、この側柵１３によると、固定柵部１４と回動柵部１５によってベッドＢの側部を略閉塞することができ、極めて安全である。
なお、このように側柵１３をベッドＢに取り付けたときに、固定柵部１４と回動柵部１５のそれぞれの枠体１４ａ，１５ａ下部がベッドＢのマットｍの上面より下方に位置するように、この側柵１３は構成されている。さらに、このとき、固定柵部１４と回動柵部１５のそれぞれの上部と下部が、ベッドＢのサイドフレームＦに略平行となるように、この側柵１３は構成されている（図１３の（ａ）参照。）。また、ベッドＢを背上げしていない状態において、固定柵部１４の脚部１９，１９を構成する軸材１９ｅ，１９ｅの軸心を通るベッドＢのサイドフレームＦに略平行な水平方向軸Ｌ上に係止部１６の取付部２４を構成するレール２８中間部の軸心が位置するように、この側柵１３は構成されている（図１３の（ｂ）参照。）。
【００２６】
次に、ベッドＢの床部が水平な状態において使用者Ｕの介助をする場合には、固定柵部１４の脚部１９，１９に設けたノブねじ１９ｆ，１９ｆを緩めて、連結板１９ｂ，１９ｂとブラケット１９ｄ，１９ｄの螺合状態を解除する。すると、水平方向軸Ｌ上に位置する脚部１９，１９の軸材１９ｅ，１９ｅと係止部１６の取付部２４に設けたレール２８周りに固定柵部１４と回動柵部１５が回動可能となる。このことから、各柵部１４，１５を水平方向軸Ｌ周りに回動することで、ベッドＢの側部を開放できる（図１３の（ｂ）参照。）。
したがって、使用者Ｕを介助するために、側柵１３を外す必要がないことから、外した側柵１３の置き場所に困ることがない。また、介助を容易に行えるようにできる。
【００２７】
続いて、図１３の（ａ）に示す状態から、ベッドＢを背上げすると、回動柵部１５は背床ｂに係止部１６を介して取り付けていることから、その後部側が持ち上げられるようになる。これに伴って、係止部１６を構成する接続部２３の接続具２５が取付部２４のレール２８に沿って摺動するようになる。また、掛け止め具２１が固定柵部１４の案内部材１８の円弧部１８ａに沿って回動する。すなわち、回動柵部１５は、固定柵部１４から脱落が防止された状態が保たれたまま、背上げに連動して、軸材２０を中心に上方へ回動する（図１２の（ａ）と図１４の（ａ）参照。）。
したがって、背上げしても、使用者Ｕの腰から頭にかけてベッドＢの側部を回動柵部１５で閉塞することができ、この状態でも、該回動柵部１５を転落防止柵として機能させることができる。
なお、このように回動柵部１５が回動するときに、該回動柵部１５と固定柵部１４が側面視において少なくとも重なり合う部分には、各柵部１４，１５に設けた遮蔽部材１４ｃ，１５ｃによってベッドＢ側から使用者Ｕの手などが入らないように、この側柵１３は構成されている。
【００２８】
また、図１４の（ａ）に示す状態から、係止部１６の接続部２３と取付部２４の連結状態を解除し、その後、回動柵部１５をさらに回動して、掛け止め具２１と固定柵部１４の案内部材１８に設けた解除部１８ｂを側面視において重なるようにする（図１２の（ｂ）参照。）。そして、回動柵部１５の軸材２０を固定柵部１４のボス１７から引き抜き、回動柵部１５を固定柵部１４から外す。然る後、固定柵部１４の脚部１９，１９のノブねじ１９ｆ，１９ｆを緩め、固定柵部１４を立設状態から水平方向軸Ｌ周りに回動する。このようにすることで、背床ｂを背上げした状態でも、ベッドＢの側部を開放できる（図１４の（ｂ）参照。）。
したがって、ベッドＢを背上げした状態でも、側柵１３すべてを外すことなく、使用者Ｕの介助を容易に行えるようにできる。また、回動柵部１５を固定柵部１４から外すにあたって、細かな部材の着脱などを行う必要もないことから、その作業も楽に行うことができる。
なお、本実施例では、回動柵部１５を固定柵部１４から外すときに、掛け止め具２１を案内部材１８の解除部１８ｂに側面視において重なり合うようにすることで、該掛け止め具２１を案内部材１８の円弧部１８ａに引っ掛けた状態を解除するようにしている。しかしながら、図１５の（ａ）に示すように、回動柵部１５の遮蔽部材１５ｃに長孔３６を設け、この長孔３６に沿って掛け止め具３７を移動可能に配設し、該掛け止め具３７をノブねじ３８で前記長孔３６に止着しておく。そして、図中実線で示す掛け止め具３７を案内部材１８の円弧部１８ａに引っ掛けた状態から、ノブねじ３８を緩め、その後に、長孔３６に沿って掛け止め具３７を移動することで、掛け止め具３７を円弧部１８ａに引っ掛けた状態を解除するようにしても良い。また、図１５の（ｂ）に示すように、回動柵部１５の遮蔽部材１５ｃに長孔３９を設け、この長孔３９に沿って掛け止め具４０を移動可能に配設する。さらに、該掛け止め具４０と長孔３９の端部間に、掛け止め具４０が案内部材１８の円弧部１８ａに引っ掛かった図中に示す状態で保持されるように、バネ４１を配設する。そして、図中に示す状態から、長孔３９に沿う方向にバネ４１の付勢力に逆らいながら、掛け止め具４０に設けたレバー４２を移動することで、掛け止め具４０を円弧部１８ａに引っ掛けた状態を解除するようにしても良い。その他、図１５の（ｃ）に示すように、回動柵部１５の遮蔽部材１５ｃに孔４３を設け、この孔４３に掛け止め具４４を回動可能に配設し、該掛け止め具４４をノブねじ４５で前記孔４３に止着しておく。そして、図中実線で示す掛け止め具４４を案内部材１８の円弧部１８ａに引っ掛けた状態から、ノブねじ４５を緩め、その後に、掛け止め具４４を回動することで、掛け止め具４４を円弧部１８ａに引っ掛けた状態を解除するようにしても良い。これらのように構成した場合には、案内部材１８に解除部１８ｂを設ける必要はない。
すなわち、回動柵部１５を固定柵部１４から外すときに、細かな部材の着脱などを行うことなく、所定の操作を行うことで、掛け止め具を案内部材１８の円弧部１８ａに引っ掛けた状態を解除できるように構成しておけば良く、本実施例に限定するものではない。
【００２９】
そして、このように用いられるこの側柵１３の最大の特徴は、取付部２４に対して接続部２３を移動可能かつ回動可能に構成した係止部１６で、回動柵部１５を背床ｂに掛け止めるようにしたことにある。
これによって、まず、回動柵部１５の回動中心が背上げ時の背床ｂの回動軸線上になくても、回動柵部１５を背上げに連動して回動できるようにしている。このことから、この側柵１３をベッドＢに取り付けるときに、回動柵部１５の回動中心を、背床ｂの背上げ時の回動軸線上に位置させる必要がなく、この側柵１３のベッドＢへの取り付けを極めて簡単にすることができた。
さらに、上述したことと、固定柵部１４をベッドＢへ取り付けるにあたって、ベッドＢの取付孔ｈ，ｈを用いるようにしたことから、取付孔ｈ，ｈを備えたベッドＢであれば、この側柵１３を用いることができる。このことから、この側柵１３は、汎用性が高く、多くの方に利用してもらいやすい側柵１３とすることができた。
その上、ベッドＢを背上げしていない状態において、回動柵部１５を固定柵部１４と共に、立設状態からベッドＢの外側方向へ回動することを可能にできた。
【００３０】
なお、本実施例では、係止部１６を取付部２４と接続部２３からなる構成として例示しているが、実施例１において、例示した係止部４，１２と同様な構成の係止部としても、本実施例の側柵１３と同様の作用と効果を得ることができる。この場合には、図示していないが、回動柵部１５に設ける軸受板に係止具を回動可能に軸着する軸材の軸心が、ベッドＢを背上げしていない状態において、固定柵部１４の脚部１９，１９を構成する軸材１９ｅ，１９ｅの軸心を通る水平方向軸Ｌ上に位置するように構成しておけば良い。すなわち、係止部は、背床ｂに沿った方向に移動可能かつ水平方向軸Ｌ周りで回動柵部１５を回動可能としたものであれば良く、本実施例に限定するものではない。
【図面の簡単な説明】
【００３１】
【図１】側柵を示す側面図。（実施例１）
【図２】軸受部の構成を示す側面視における説明図。（実施例１）
【図３】回動柵部が上下方向に回動する様子を示す側面視における説明図。（実施例１）
【図４】回動柵部が主パイプ周りに回動する様子を示す正面視における説明図。（実施例１）
【図５】係止部の構成を示す背面視における説明図。（実施例１）
【図６】側柵のベッドへの取り付け状態を示す背面視における説明図。（実施例１）
【図７】側柵の使用例を示す側面視における説明図。（実施例１）
【図８】側柵を示す側面図。（実施例２）
【図９】図８におけるＡ−Ａ断面図。（実施例２）
【図１０】取付部の別の構成を示す説明図。（実施例２）
【図１１】脚部の構成を示す正面視における説明図。（実施例２）
【図１２】回動柵部が上下方向に回動する様子を示す側面視における説明図。（実施例２）
【図１３】側柵の使用例を示す側面図（１）。（実施例２）
【図１４】側柵の使用例を示す側面図（２）。（実施例２）
【図１５】掛け止め具を案内部材の円弧部に引っ掛けた状態を解除するための別の方法を示す説明図。（実施例２）
【符号の説明】
【００３２】
１      側柵
２      基台部
２ａ    主パイプ
２ｂ    脚部
３      回動柵部
４      係止部
１２    係止部
１３    側柵
１４    固定柵部
１５    回動柵部
１６    係止部
１８    案内部材
１８ａ  円弧部
１９    脚部
２１    掛け止め具
３７    掛け止め具
４０    掛け止め具
４４    掛け止め具
【図１】
2008029650.tif 000003
【図２】
2008029650.tif 000004
【図３】
2008029650.tif 000005
【図４】
2008029650.tif 000006
【図５】
2008029650.tif 000007
【図６】
2008029650.tif 000008
【図７】
2008029650.tif 000009
【図８】
2008029650.tif 000010
【図９】
2008029650.tif 000011
【図１０】
2008029650.tif 000012
【図１１】
2008029650.tif 000013
【図１２】
2008029650.tif 000014
【図１３】
2008029650.tif 000015
【図１４】
2008029650.tif 000016
【図１５】
2008029650.tif 000017